(57)【要約】【課題】受信待機時に筐体を折り畳んだ状態においても画像表示部を確認可能にすることができ、かつ従来の携帯電話と同様に折り畳むことができる構造をもった折り畳み式携帯電話機を提供する。【解決手段】上筐体部１０１と下筐体部１０２とを折り畳み可能に接続する回転ユニットは、両筐体部を折り畳む際に使用する第一の回転軸１０４ａと、第一の回転軸１０４ａに直交して設けられた第二の回転軸１０４ｂとを備え、第二の回転軸１０４ｂを中心として上筐体部１０１が１８０度以上回転可能であり、両筐体部を開いて使用した状態から上筐体部１０１を反転させて折り畳むと画像表示部が折り畳まれた上筐体部１０１の表面に視認可能に位置し、両筐体部を開いて使用した状態からそのまま上筐体部１０１を折り畳むと画像表示部が折り畳まれた上筐体部１０１の内側に位置するように配設されている。【選択図】      図６
2006087128.tif 000002
【特許請求の範囲】
【請求項１】
画像表示部を有する上筐体部と、操作面に操作部を有する下筐体部と、前記上筐体部及び前記下筐体部を結合する前記上筐体部と前記下筐体部とを折り畳む際に使用する第一の回転軸とさらに該第一の回転軸に直交して設けられた第二の回転軸とを備えた回転ユニットと、を有する折り畳み式携帯電話機において、
前記上筐体部の前記画像表示部の配置された面とその反対面との双方にそれぞれ受話器が設置され、前記上筐体部と前記下筐体部とが折り畳まれていない状態における前記画像表示部の前記第二の回転軸に対する向きを検出する検出器を有することを特徴とする折り畳み式携帯電話機。
【請求項２】
前記折り畳み式携帯電話機において、前記第二の回転軸に対する前記画像表示部の向きに応じて鳴動する受話器を切り替えることを特徴とする請求項１に記載の折り畳み式携帯電話機。
【請求項３】
前記上筐体部の前記画像表示部の向きを検出する検出手段として、前記第二の回転軸に通電性を用いた検出器を設けることを特徴とする請求項１または２に記載の折り畳み式携帯電話機。
【請求項４】
前記折り畳み式携帯電話機の前記上筐体部の前記画像表示部の配置された面に少なくとも４方向キーおよび決定キーが設けられている、請求項１から請求項３の何れか１項に記載の折り畳み式携帯電話機。
【請求項５】
前記下筐体部の操作面の内部に磁石が配置され、前記上筐体部の画像表示部を有する面の折り畳み時に該磁石と対応する位置に、折り畳み時に該磁石に感応して電源を制御するリードスイッチが設けられている、請求項１から請求項４の何れか１項に記載の折り畳み式携帯電話機。
【請求項６】
画像表示部を有する上筐体部と、操作面に操作部を有する下筐体部と、前記上筐体部及び前記下筐体部を結合する前記下筐体部に固設された前記上筐体部と前記下筐体部とを折り畳む際に使用する開閉軸と、この開閉軸と直交して配設されて前記上筐体部を回動自在に軸支する回動軸とを含み構成された回転ユニットと、を有することを特徴とする請求項１から請求項５の何れか１項に記載の折り畳み式携帯電話機。
【発明の詳細な説明】
【技術分野】
【０００１】
本発明は折り畳み式携帯電話機に関し、特に折り畳み状態でも画像表示部の視認と操作の可能な折り畳み式携帯電話機に関する。
【背景技術】
【０００２】
近年携帯電話は、電子メールやゲーム機能やネット対応端末として多種多様な機能を搭載するようになり携帯電話の活用範囲が拡大している。携帯電話機により電子メールを利用するユーザが増加し、「ｉモード」に代表されるようにネット対応端末が普及して携帯電話用サイトにより情報サービスを活用するユーザが増え、また携帯電話機を使ってゲームをするユーザなどが増えてきている。さらに、画像表示部がカラー化されたり、大画面化されたりなどの様々な形態の携帯電話が出現しており、画像表示部のカラー化に伴い受信待機時の画面上に好みのイラスト、画像、アニメーションなどを表示するユーザが増えている。
【０００３】
従来の折り畳み式携帯電話機は、画面の大型化に対して画像表示部とキー入力部に分割して折り畳むことにより、ストレートタイプの携帯電話に比べて小型にした携帯電話機であり、携帯性に優れた形態となっている。
【特許文献１】特開平１１−１８７０９８号公報
【特許文献２】特開平１１−８８４８３号公報
【発明の開示】
【発明が解決しようとする課題】
【０００４】
この折り畳み式携帯電話機は、受信待機時に折り畳むことによりＬＣＤ表示部やダイヤルキーの保護および誤動作防止、ＬＣＤの電源を切ることによる低消費電力化などの利点がある。しかしながら、折り畳んだ状態において画像表示を見ることができないという欠点があった。このため、受信待機時に折り畳んでいる間はメール着信の有無、不在着信の有無、留守番伝言の有無の確認、着信時に相手の名前および電話番号の確認等の情報は、筐体を開いてこの画像表示部を確認しなければならなかった。
【０００５】
また、最近折り畳んだ状態でメール着信の有無、不在着信の有無、留守番伝言の有無の確認、着信時に相手の名前および電話番号の確認等ができるように通常画像表示部の反対側に小型ＬＣＤを増設した折り畳み式携帯電話機が出ているが、増設した小型ＬＣＤとそれを制御する回路とが増えるためコストが掛かり、また増設した小型ＬＣＤではメールの内容確認、携帯電話用サイトの閲覧、ゲーム等ができないという欠点がある。
【０００６】
本発明の主な目的は受信待機時に筐体を折り畳んだ状態においても画像表示部を確認可能にすることができ、かつ従来の携帯電話と同様に折り畳むこともできる構造をもった折り畳み式携帯電話機を提供することにある。さらに、画像表示部と同じ面に配置された４方向キーおよび決定キーなどの最低限必要な操作部のみにより、スペースを取らずにメールの内容確認、携帯電話用サイトの閲覧、ゲーム等を容易に操作することが可能な折り畳み式携帯電話機を提供する。さらに、筐体を折り畳んだ状態において画像表示部を確認可能にするため画像表示部を配設した上筐体部が回転する機構を設けているが、この画像表示部の向きを検出する検出器によって、通話状態への移行を容易にすることが可能な折り畳み式携帯電話機を提供する。
【課題を解決するための手段】
【０００７】
本発明の折畳式携帯電話機は、画像表示部を有する上筐体部と操作面を有する下筐体部とが折り畳み可能に回転ユニットで接続されている携帯電話機であって、回転ユニットは、上筐体部と下筐体部とを折り畳む際に使用する第一の回転軸と、さらにその第一の回転軸に直交して設けられた第二の回転軸とを備え、上筐体部と下筐体部とを開いて使用した状態からその上筐体部を第二の回転軸を中心として反転させて折り畳むとその上筐体部の画像表示部が折り畳まれたその上筐体部の表面に視認可能に位置し、上筐体部と下筐体部とを開いて使用した状態からそのままその上筐体部を折り畳むとその上筐体部の画像表示部が折り畳まれたその上筐体部の内側に位置するように配設されている。そして、上筐体部の画像表示部の配置された面とその反対面との双方にそれぞれ受話器が設置されており、上筐体部と下筐体部とが折り畳まれていない状態における画像表示部の第二の回転軸に対する向きを検出する検出器を有している。
【０００８】
さらに、本発明の折畳式携帯電話機は、第二の回転軸に対する前記画像表示部の向きに応じて鳴動する受話器を切り替えてもよい。
【０００９】
また、折り畳み式携帯電話機の上筐体部の画像表示部の配置された面に少なくとも４方向キーおよび決定キーが設けられていてもよく、下筐体部の操作面の内部に磁石が配置され、上筐体部の画像表示部を有する面の折り畳み時にその磁石と対応する位置に、折り畳み時にその磁石に感応して電源を制御するリードスイッチが設けられていてもよい。  
【発明の効果】
【００１０】
以上説明したように本発明の折り畳み式携帯電話機では、受信待機状態で折り畳まれた状態にある時においても開閉動作を行わずに画面を見ることができ、画面上でメールの着信の有無、不在着信の有無、留守番伝言の有無の確認などを直ぐに確認できます。また、受信待機状態で折り畳まれた状態において、上筐体部を（第二の回転軸を中心として反転させることなく）そのまま開いただけの状態で非画像表示部側に設置された第二受話器開口部を用いて通話することが可能となります。
【発明を実施するための最良の形態】
【００１１】
次に、本発明の実施の形態について図面を参照して説明する。図１は本発明の参考の実施の形態の折り畳み式携帯電話機を通話可能に開いた状態を示す模式的斜視図であり、図２は本発明の参考の実施の形態の折り畳み式携帯電話機の上筐体部を第二回転軸を中心として回転させる状態を示す模式的斜視図であり、図３は本発明の参考の実施の形態の折り畳み式携帯電話機を上筐体部の第二回転軸を中心として１８０度回転させて画像表示部を外側に向けて第一回転軸を中心として下筐体部上に閉じる状態を示す模式的斜視図であり、図４は本発明の参考の実施の形態の折り畳み式携帯電話機の画像表示部を外側に向けて下筐体部上に折り畳んだ状態を示す模式的斜視図であり、図５は回転ユニット内の配線接続構造を示す模式的部分平面図である。
【００１２】
図１に示すように、上筐体部１０１と下筐体部１０２とを折り畳む際に使用する従来の折り畳み式携帯電話機と同様の第一回転軸１０４ａに、さらにこの第一回転軸１０４ａに直交する第二回転軸１０４ｂを設けることにより上筐体部１０１を１８０度回転させて画像表示部を反転させ、受信待機時に筐体を折り畳んだ状態においても画像表示部を視認可能にすることができ、かつ従来の携帯電話機と同様に画像表示部を出さずに内側に折り畳むこともできる構造としたことを特徴としている。
【００１３】
図１に示すように、本発明の参考の実施の形態の折り畳み式携帯電話機は、上筐体部１０１および下筐体部１０２からなり、上筐体部１０１の端部と下筐体部１０２の端部とは回転ユニット１０３により開閉可能に接続されている。上筐体部１０１の片方の面には画像を表示するＬＣＤ１０５と４方向キーおよび決定キー１０６と、上端部の内部に埋設されたリードスイッチ１０８と、受話器開口部１１０を備え、下筐体部１０２の片方の面にはダイヤルキー１０７と、下端部の内部に埋設された磁石１０９と、送話器開口部１１１とを備えており、上筐体部１０１の画像表示部を内側にして折り畳んだ際にリードスイッチ１０８は磁石１０９の磁力に感応する位置に設置されている。
【００１４】
上筐体部１０１と下筐体部１０２との接続に用いられる回転ユニット１０３は、第一回転軸１０４ａと第一回転軸１０４ａに直交する第二回転軸１０４ｂとによって直交する２方向に上筐体部１０１を回転させる構造を有する。上筐体部１０１と下筐体部１０２との電気的な接続は、第一回転軸１０４ａを中心にして上筐体部１０１と下筐体部１０２とを折り畳む回転構造の部分では、従来の折り畳み式携帯電話機と同様に図５に示すようにフレキシブルケーブル１２２を用いて下筐体部１０２の円筒内部を通し、下筐体部内の中継基板１２５に接続することにより、折り畳み動作を可能にしている。第二回転軸１０４ｂを中心にして上筐体部１０１の画像表示部を３６０度回転させる構造の部分では、図５に示すように回転ユニット１０３の第二回転軸上に固定された円筒部１２６の周りに環状に配置された導電部１２７から円筒部１２６の内部配線により中継基板１２５を介してフレキシブルケーブル１２２により下筐体部内の基板に接続するように構成されており、上筐体部側では導電部１２７と接触する弾性接触部１２３から中継基板１２４を介して上筐体部内のＬＣＤ１０５や４方向キーおよび決定キー１０６等に接続するように構成されている。
【００１５】
次に本発明の参考の実施の形態の折り畳み式携帯電話機の動作について図面を参照して説明する。本発明の折り畳み式携帯電話機は、図１の上筐体部１０１と下筐体部１０２とを通話状態に開いた状態から、図２のように上筐体部１０１は第二回転軸１０４ｂを中心に１８０度回転させて画像表示部を外側に向け、図３のように上筐体部１０１の表示面側を外側にして第一回転軸１０４ａを中心に閉じることにより、図４のように閉じた状態において画像表示部の確認を可能にしている。
【００１６】
上筐体部１０１と下筐体部１０２との開閉検出は、図１の通話状態より上筐体部１０１の画像表示部を内側にしたまま第一回転軸１０４ａにより折り畳んだ場合に、上筐体部１０１の上端部左側に設置されたリードスイッチ１０８が下筐体部１０２の下端部左側に設置された磁石１０９に接近すると、リードスイッチ１０８が磁力を検出してオン（閉）状態になり画像表示部の電力供給を止める。また、図１の通話状態より図２のように上筐体部１０１を第二回転軸１０４ｂを中心に１８０度回転させ、上筐体部１０１の表示面を外側にして折り畳んだ場合は、図４のようにリードスイッチ１０８が磁石１０９と反対側の位置になり折り畳んだ状態においてもオフ（開）状態になるため画像表示を継続する。
【００１７】
図２のように第二回転軸１０４ｂを中心に上筐体側の画像表示部を反転させる場合、弾性接触部１２３の押圧によって回転ユニット１０３に固定された円筒部上の導電部１２７と弾性接触部１２３とが接触することにより、回転しても絶えず電気的接続を続けることができるため、上筐体部１０１を回転方向や回転回数の制限なしに３６０度自由に回転することを可能にしている。
【００１８】
この折り畳み式携帯電話機は、受信待機時に上筐体部１０１の画像表示部を外側に折り畳んだ状態にすることにより、そのままでメールの着信の有無、不在着信の有無、留守番伝言の有無の確認、着信時に相手の名前および電話番号の確認等をすることができるという効果がある。また、受信待機時に上筐体部１０１の画像表示部を内側に折り畳んだ状態にした場合には、従来の携帯電話機と同様にＬＣＤ１０５やダイヤルキー１０７の保護および誤動作防止、ＬＣＤ１０５の電源を切ることによる低消費電力化という効果が得られ、状況に応じて上筐体部の折り畳み状態の選択が可能となっている。
【００１９】
さらに、上筐体部１０１の使用面にＬＣＤ１０５と４方向キーおよび決定キー１０６などの最低限必要な操作部のみを配置することにより、表示面を外側にして折り畳んだ状態において、スペースを取らずにメールの内容確認、携帯電話用サイトの閲覧、ゲーム等が容易に使用可能となる。
【００２０】
次に本発明の第一の実施の形態の折り畳み式携帯電話機の図面を参照して説明する。図６は本発明の第一の実施の形態の折り畳み式携帯電話機を通話可能に開いた状態を示す模式的斜視図であり、図７は本発明の第一の実施の形態の上筐体部の受話器開口部近傍の模式的断面図であり、図８は本発明の第一の実施の形態の折り畳み式携帯電話機を受信待機時に画像表示部を外側にして折り畳んだ状態で受信した場合に上筐体部をそのまま開いた時の状態を示す模式的斜視図である。
【００２１】
参考の実施の形態では、図４のように受信待機時に画像表示部を外側にして折り畳んだ状態において受信した場合、通話可能とするためは図３のように第一回転軸１０４ａを中心に上筐体部１０１を開き、さらに図２のように第二回転軸１０４ｂを中心に上筐体部１０１を１８０度反転させることが必要なので２回の回転動作が必要であり、受信時にすぐに通話できないという問題がある。このため、第一の実施の形態では図６に示すように、上筐体部２０１の画像表示部側の第一受話器開口部２１０と反対側の面にさらに第二受話器開口部２１２を追加し、それぞれに第一スピーカ２１３および第二スピーカ２１４を配置して、上筐体部１０１の画像表示部が内側を向いているか外側を向いているかを検出する検出手段を追加することにより、図７のように上筐体部１０１の受話器開口部の内部に設置された第一スピーカ２１３と第二スピーカ２１４とを切替える機能を有する。この画像表示部の向きを検出する手段としては、例えば図５の円筒部１２６の画像表示部側または非画像表示部側に半円状の導電部１２７を１本追加し、弾性接触部１２３を１本追加して通電するかしないかにより画像表示部の向きの判別を行う。
【００２２】
従って、第一の実施の形態の折り畳み式携帯電話機では、図４のように受信待機時に画像表示部を外側にして折り畳んだ状態において受信した場合、図８のように第一回転軸２０４ａを中心に上筐体部２０１を開くだけで非画像表示部側に設置された第二受話器開口部２１２を用いて通話することができるため、受信時に参考の実施の形態と比べて早く通話可能にすることができ、さらに通話時に画像表示部が耳と反対の側になるの
で画像表示部と耳とを接触させないで通話できることとなりＬＣＤ表面の汚れを防止するという新たな効果も得ることができる。
【００２３】
また、参考、第一の実施の形態における応用として、開閉検出手段に用いたリードスイッチと磁石との組合せを、プッシュスイッチやスライドスイッチに置き替えて筐体側面部に設けることにより、開閉動作に関係無くＬＣＤの電源ＯＮ／ＯＦＦを切替え可能にしてもよい。また、利便性を向上させるために画像表示部側に設けた４方向キーおよび決定キーの他に使用頻度の高いメール機能等へのショートカットボタンを配置してもよい。さらに、参考、第一実施の形態において、第二回転軸１０４ｂ、２０４ａを中心に上筐体部１０１、２０１の画像表示部を３６０度自由に反転させる構造にすることにより、反転動作を１回行った後に次の反転動作をする場合、最初に反転した方向に回転することも逆方向に回転することも可能であるが、これを１８０度しか回転できないように動作を限定して、２回目の反転動作は最初に反転した方向の逆方向にしか回転できない構造にしてもよく、この場合図５に示した配線接続構造を用いないで上筐体部と下筐体部とをフレキシブルで直接接続することも可能となる。
【図面の簡単な説明】
【００２４】
【図１】本発明の参考の実施の形態の折り畳み式携帯電話機を通話可能に開いた状態を示す模式的斜視図である。
【図２】本発明の参考の実施の形態の折り畳み式携帯電話機の上筐体部を第二回転軸を中心として回転させる状態を示す模式的斜視図である。
【図３】本発明の参考の実施の形態の折り畳み式携帯電話機をの上筐体部を第二回転軸を中心として１８０度回転させて画像表示部を外側に向けて第一回転軸を中心として下筐体部上に閉じる状態を示す模式的斜視図である。
【図４】本発明の参考の実施の形態の折り畳み式携帯電話機の画像表示部を外側に向けて下筐体部上に折り畳んだ状態を示す模式的斜視図である。
【図５】回転ユニット内の配線接続構造を示す模式的部分平面図である。
【図６】本発明の第一の実施の形態の折り畳み式携帯電話機を通話可能に開いた状態を示す模式的斜視図である。
【図７】本発明の第一の実施の形態の上筐体部の受話器開口部近傍の模式的断面図である。
【図８】本発明の第一の実施の形態の折り畳み式携帯電話機を受信待機時に画像表示部を外側にして折り畳んだ状態で受信した場合に上筐体部をそのまま開いた時の状態を示す模式的斜視図である。
【符号の説明】
【００２５】
１０１、２０１    上筐体部
１０２、２０２    下筐体部
１０３、２０３    回転ユニット
１０４ａ、２０４ａ    第一回転軸
１０４ｂ、２０４ｂ    第二回転軸
１０５、２０５    ＬＣＤ
１０６、２０６    ４方向キーおよび確定キー
１０７、２０７    ダイヤルキー
１０８、２０８    リードスイッチ
１０９、２０９    磁石
１１０    受話器開口部
１１１、２１１    送話器開口部
１２２    フレキシブルケーブル
１２３    弾性接触部
１２４、１２５    中継基板
１２６    円筒部
１２７    導電部
２１０    第一受話器開口部
２１２    第二受話器開口部
２１３    第一スピーカ
２１４    第二スピーカ
【図１】
2006087128.tif 000003
【図２】
2006087128.tif 000004
【図３】
2006087128.tif 000005
【図４】
2006087128.tif 000006
【図５】
2006087128.tif 000007
【図６】
2006087128.tif 000008
【図７】
2006087128.tif 000009
【図８】
2006087128.tif 000010